(57)【特許請求の範囲】
【請求項１】
樹木の根圏範囲（樹木の根が存在する範囲）の古い土壌を改良するための方法であって、改良しようとする古い土壌の地中に、粘稠度の高い資材を、圧送するのに適した圧送手段によって、樹木の樹勢を生起させるのに適した新しい土壌を圧送注入し、この新しい土壌の注入圧力によって、古い土壌を地上に盛り上がらせ、この盛り上がった古い土壌を撤去することによって土壌を改良するようにした土壌改良方法。
【請求項２】
樹木の根圏範囲（樹木の根が存在する範囲）の古い土壌を改良するための方法であって、改良しようとする古い土壌の地中に、まず圧縮空気圧送手段を利用して、圧縮空気を圧入し空気爆発の衝撃を与えて、古い土壌の地中に隙間や亀裂を生起させ、しかる後に粘稠度の高い資材を、圧送するのに適した圧送手段によって、樹木の樹勢を生起させるのに適した新しい土壌を圧送注入し、この新しい土壌の注入圧力によって、古い土壌を地上に盛り上がらせ、この盛り上がった古い土壌を撤去することによって土壌を改良するようにした土壌改良方法。
【請求項３】
前記撤去しようとする古い土壌に、樹勢回復に適した資材を混合して土壌改良を行い、この改良した土壌を新しい土壌として再び地中に圧送注入するようにした請求項１または２記載の土壌改良方法。
【請求項４】
前記新しい土壌は水または栄養分の含有した液体に混練された状態で前記圧送手段によって地中に圧送注入されるようになっている請求項１〜３の何れか記載の土壌改良方法。
【発明の詳細な説明】
【０００１】
【発明の属する技術分野】
本発明は、樹木の樹勢回復や永年作物生育不良改善のために土壌を改良する必要のある土壌の改良方法に関する。
【０００２】
【従来の技術】
樹木の樹勢の衰退や、永年作物の生育不良は、土壌の堅密性、透水性、超粘度質或いは砂質等の土質構造、腐植含量などが要因となっている。即ち、土壌が堅密化することによって、長期間有機物の供給が少なく、このための腐植の生育作用が少なく、また排水性が悪く、土壌構造の発達が停滞する。
【０００３】
樹木の樹勢の回復方法としては、土壌の堅密化、不透水性、土質構造、腐植含量など樹勢衰退の原因となっている古い土壌を、樹勢回復に適した新しい土壌と入れ替えることが尤も好ましいことは言うまでもない。
【０００４】
従来から上述の目的から古い土壌を新しい土壌に入れ替える土壌改良方法が行われているが、従来方法を述べると、図５および図６に示すように、樹木Ｗの植っている付近の土壌、即ち、樹木の根圏範囲（樹木Ｗの根Ｗａが存在する範囲）をパワーシャベルやアースオーガーあるいは溝掘り機（トレンチャー）等で図示のように溝状に掘削して古い土壌Ｓを撤去し、この掘削した溝に新しい土壌Ｔを投入するようにして新旧土壌を入れ替えるようにしていた。
【０００５】
このように掘削機械を用いて樹木の根圏の土壌を掘削すると必然的に樹木Ｗの根Ｗａの一部を図６のａに示すように切断せざるを得ず、根Ｗａの切断は地中貯蔵養分の吸収劣化の原因となり、またその切り口ａは土壌病害の侵入口となり、そのために樹木を枯死させるに至った例が少なくない。即ち従来方法では、樹木の樹勢回復のための土壌改良作業が却って樹木の寿命を短くする結果となる場合があった。
【０００６】
【発明が解決しようとする課題】
本発明は、樹木の根を切断したり、傷つけたりすることなく樹木の根圏の土壌を改良する方法を提案することを目的とするものである。
【０００７】
【課題を解決するための手段】
上記目的を達成するために、請求項１の発明に係る土壌改良方法は、樹木の根圏範囲（樹木Ｗの根Ｗａが存在する範囲）の古い土壌Ｓを改良するための方法であって、改良しようとする古い土壌Ｓの地中に、粘稠度の高い資材、例えばコンクリートモルタルを、圧送するのに適した圧送手段１、例えば圧送ポンプ（図２）によって、樹木の樹勢を生起させるのに適した新しい土壌Ｔを圧送注入し、この新しい土壌Ｔの注入圧力によって、古い土壌Ｓを地上に盛り上がらせ、この盛り上がった古い土壌Ｓａ（図２）を撤去することによって土壌を改良するようにした方法を採用してなるものである。
【０００８】
また請求項２に係る土壌改良方法は、樹木の根圏範囲（樹木Ｗの根Ｗａが存在する範囲）の古い土壌Ｓを改良するための方法であって、改良しようとする古い土壌Ｓの地中に、まず圧縮空気圧送手段２、例えば深耕作業機（図１）を利用して、圧縮空気を圧入し空気爆発の衝撃を与えて、古い土壌Ｓの地中に隙間や亀裂Ｇを生起させ、しかる後に粘稠度の高い資材、例えばコンクリートモルタルを、圧送するのに適した圧送手段１、例えば圧送ポンプ（図２）によって、樹木の樹勢を生起させるのに適した新しい土壌Ｔを圧送注入し、この新しい土壌Ｔの注入圧力によって、古い土壌Ｓを地上に盛り上がらせ、この盛り上がった古い土壌Ｓａ（図２）を撤去することによって土壌を改良するようにした方法を採用してなるものである。
【０００９】
また請求項３に係る土壌改良方法は、前記撤去しようとする古い土壌Ｓに、樹勢回復に適した資材、例えば有機質資材や無機質資材を混合して土壌改良を行い、この改良した土壌を新しい土壌Ｔとして再び地中に圧送注入するようにした請求項１または２記載の方法を採用してなるものである。
【００１０】
また請求項４に係る土壌改良方法は、前記新しい土壌Ｔは水または栄養分の含有した液体に混練された状態で前記圧送手段１によって地中に圧送注入されるようになっている請求項１〜３の何れか記載の方法を採用してなるものである。
【００１１】
【発明の実施の形態】
図１は、本発明の土壌改良方法を実施するための第一の工程を示すもので、図示のように作業者Ｍは周知の深耕作業機２によって樹木根圏範囲の土壌の入れ替え作業を行う個所の適当な深さのところに圧縮空気を強制的に送り込み、一種の空気爆発作用によって地中に隙間や亀裂Ｇを生起させる。具体的には圧縮空気の噴気ノズル３を打ち込むための打ち込み機４、コンプレッサー５、エアータンク６、これらの駆動源であるエンジン７を一体的に備えた周知の深耕作業機２によって地中４５〜６０cmのところで、約９．５km／cm2 の圧送圧力で一回当り３０〜３５Ｌの圧縮空気を圧入することよって、噴気範囲が直径１３０〜３２０cm2 の範囲に渡って圧縮空気が地中に分散し、付近の土壌は図示のように噴気ノズル３の周囲に無数の亀裂Ｇが生起して破砕され、その周辺土壌の堅密度が低下するよう深耕作業を行うことになる。このように深耕作業機２によって圧縮空気を地中に圧入するだけで掘削刃による耕作ではないから、深耕部分に土壌に樹木の根が延びていても、これを切断したりその表面を傷つけたりすることはない。
【００１２】
次に図２に示すように、作業者Ｍは土壌圧送圧入手段１を操作して上記の土壌の深耕部分に新しい土壌Ｔを圧送注入し、この新しい土壌Ｔの注入圧力によって、古い土壌Ｓを図示のＳａに示すように地上に盛り上がらせようとするものである。土壌の圧送圧入手段１としては、コンクリートモルタル等の粘稠度の高い資材を圧送するのに適した圧送ポンプを挙げることができ、例えばポンピングチューブ式とポンピングローラを利用した絞り出し式の圧送ポンプやスネークロータを利用したスネーク式の圧送ポンプなどで、吐出圧力２０〜３０kg／cm2 のものを使用することができる。これは従来ではコンクリートモルタルを圧送するためのポンプであるが、本件発明者は、このポンプを土壌の圧送注入手段として利用できないかと試験を重ねてきたが、土壌は各種の母岩からなり、粒度分布や比重が異なるので混合水分の割合を変えることにより各種の土壌を地中に圧送注入することができることが判明した次第である。
【００１３】
これらの圧送ポンプ１のホッパー８に投入される新しい土壌Ｔは、樹木の樹勢に適した有機質あるいは無機質資材の混合された土壌からなり、圧送ポンプ１で圧送するのに適した粘稠度を持たせるために土壌と水または養分の含有した液体との比率は２〜３：１とした泥土状とした状態で、深耕した地中４５〜６０cmのところの隙間Ｇ（図１）に圧送ホース９に繋がれた中空パイプ１０の先端部の噴射ノズル１１から泥土状土壌を圧入することによって該土壌圧力によって、地表面側の古い土壌Ｓは図示のＳａに示すように盛り上がることになる。
【００１４】
従って、この盛り上がった古い土壌Ｓａは撤去されることになる。このような作業を図３に示すように樹木Ｗの根圏範囲の複数個所で行い、これら複数個所で古い土壌Ｓａを盛り上がらせ、これらを撤去することによって新しい土壌Ｔと古い土壌Ｓとを入れ替えることになるが、この方法によれば深耕部分に樹木の根圏が延びていても、根Ｗａが切断されることがなく円滑に新旧土壌の入れ替えを行うことができる。
【００１５】
このように根を切断することなく新旧土壌の入れ替えを行うことができるから、根の貯蔵養分の損失がなく、また各種の土壌病害から樹木を守ることができることになり、これがために新しい土壌部分には、図４に示すように水分と空気あるいは栄養分が多量に含まれているから、短期間の間、例えば約６ヵ月の間に根が新しい土壌部分に著しく延びて樹木の樹勢を著しく回復することになることが判明している。
【００１６】
また地表面に盛り上がった古い土壌Ｓａは撤去されるが、大量に発生した古い土壌Ｓａはその撤去場所や撤去作業に多大の労力が必要となるため、この古い土壌Ｓａを他の場所に撤去することなく、新しい土壌として再利用することもできる。即ち、大量に発生した古い土壌Ｓａに、無機質資材、例えばゼオライトやパーライトを混合したり、有機質資材、例えば牛糞堆肥（完熟牛糞堆肥）、鶏糞堆肥、豚糞堆肥、バーク堆肥（完熟樹皮堆肥）、汚泥堆肥、泥炭（ピートモス等）、化学肥料等を混合して新しい土壌Ｔとし、これを前述のように圧送手段１によって地中に再度圧送注入するようにしてもよい。この方法によれば、大量に発生した古い土壌を再び地中に埋入することができるから、面倒な撤去場所の用意や撤去のための労力がなくなり、それだけ土壌改良費用が少なくて済む利点が挙げられる。
【００１７】
なお、上記の実施形態によれば、まず第一の工程として土壌の地中への圧縮空気の圧入による地中への隙間や破砕の形成による土壌の緊密度の低下作業を行い、しかる後に第二の工程として新しい土壌の圧送注入作業を行うようになっているが、古い土壌の土質が砂層やシルト層のように比較的軟弱土壌の場合で、新しい土壌を地中に圧入することによって古い土壌が容易に地表面に盛り上がる場合には第一工程を必要とせず、第二の工程より行うことできる。
【００１８】
【発明の効果】
請求項１の発明に係る土壌改良方法によれば、改良しようとする古い土壌の地中に、コンクリートモルタル等の粘稠度の高い資材を圧送するのに適した圧送ポンプ等からなる圧送手段によって、樹木の樹勢を生起させるのに適した新しい土壌を圧送注入し、この新しい土壌の注入圧力によって、古い土壌を地上に盛り上がらせ、この盛り上がった古い土壌を撤去することによって新旧土壌の入れ替えを行うようにしたから、たとえ深耕部分に樹木の根圏が延びていても、根が切断されることがなく円滑に新旧土壌の入れ替えを行うことができ、これがために根の貯蔵養分の損失がなく、また各種の土壌病害から樹木を守ることができることになり、これがために新しい土壌部分には、水分と空気あるいは栄養分が多量に含まれているから、短期間の間に根が新しい土壌部分の延びて樹木の樹勢を著しく回復することになることができる。
【００１９】
また請求項２にあっては、土壌改良を行う場所の土壌の緊密度が高く、新しい土壌を地中に圧入することが困難である場合にあっても、まず第一の工程で古い土壌を所定の地中深度で耕作して、古い土壌の緊密度を低下させ、しかる後に第二の工程として新しい土壌を圧送手段によって地中に圧送注入するようにしたため、新しい土壌を容易に緊密度の高い古い土壌中に圧入して、新しい土壌の圧力によって古い土壌に亀裂を生起させながら地表面に押し上げることができ、盛り上がった古い土壌を撤去することによって、緊密度の高い土壌であっても新旧土壌の入れ替えを容易に行うことができる。
【００２０】
また請求項３にあっては、大量に発生した古い土壌を再び地中に埋入することができるから、面倒な撤去場所の用意や撤去のための労力がなくなり、それだけ土壌改良費用が少なくて済む利点が挙げられる。
【００２１】
また請求項４にあっては、前記新しい土壌は水または栄養分の含有した液体に混練された状態で前記圧送手段によって地中に圧送されるようになっているため、新しい土壌を周知の圧送手段に容易に地中に圧送注入することできると共に、該新しい土壌には充分な水分と酸素が含まれるため、樹木の樹勢回復に大きく貢献することができる。
【図面の簡単な説明】
【図１】  本発明の一実施形態の第一の工程を説明するための図である。
【図２】  同第二の工程を説明するための図である。
【図３】  同平面図である。
【図４】  同要部拡大説明図である。
【図５】  従来技術を説明する平面図である。
【図６】  同斜視図である。
【符号の説明】
１    圧送ポンプなどの土壌圧送手段
２    深耕作業機などの圧縮空気圧送手段
Ｔ    新しい土壌
Ｓ    古い土壌
Ｇ    地中に発生した隙間や亀裂
【図１】
0004020502.tif 000002
【図２】
0004020502.tif 000003
【図３】
0004020502.tif 000004
【図４】
0004020502.tif 000005
【図５】
0004020502.tif 000006
【図６】
0004020502.tif 000007